(57)【特許請求の範囲】
【請求項１】
充電部を内蔵し、前記充電部に接続され、かつ外部の電線の接続部が接続される接続端子を有するケース体と、前記ケース体に装着され、前記電線の接続部が前記接続端子に接続された状態で前記接続端子を覆う保護カバーとを備え、
前記接続端子は、前記保護カバー側から反対側に延長するエンボス部と、前記エンボス部の内周面に形成され、前記接続端子に前記電線の接続部をねじ止め固定するときに端子ねじがねじ込まれるめねじとを備え、
前記保護カバーは、前記ケース体に装着した状態で前記接続端子との間で前記電線の接続部を弾発力で圧接保持する接続保持部とを備え、
更に、前記保護カバーは、背壁部と、前記背壁部に設けられ、かつ前記ケース体に前記保護カバーを装着するときに前記背壁部の外側から内側に亘って前記電線が通る開口部とを備えていることを特徴とする電気機器。
【請求項２】
前記保護カバーは、前記ケース体に対してスナップフィット接合されることを特徴とする請求項１に記載の電気機器。
【請求項３】
前記接続保持部は、前記保護カバーを前記ケース体に装着した状態で、前記接続端子に対して進退自在に支持された押圧部材と、前記押圧部材を前記接続端子側に付勢する弾性体とを備えていることを特徴とする請求項１又は請求項２に記載の電気機器。
【請求項４】
前記押圧部材は、前記接続端子に対向する押圧板部と、前記押圧板部の対向端部から前記接続端子とは反対方向に延伸する一対の側板部とで逆Ｕ字状に形成され、前記一対の側板部が前記接続保持部に対して抜け止めされて案内されていることを特徴とする請求項３に記載の電気機器。
【請求項５】
前記弾性体は、圧縮コイルばねで構成されていることを特徴とする請求項３又は請求項４に記載の電気機器。
【請求項６】
前記接続保持部は、前記電線の接続部に設けられた圧着端子の肩部に係合して抜け止めを行う抜け止め係合部を備えていることを特徴とする請求項１から請求項５の何れか１項に記載の電気機器。
【請求項７】
前記充電部は押しボタンスイッチの接点機構であることを特徴とする請求項１から請求項６の何れか１項に記載の電気機器。
【発明の詳細な説明】
【技術分野】
【０００１】
本発明は、電気機器に関し、特に、電線を接続するための接続端子を備えた電気機器に適用して有効な技術に関するものである。
【背景技術】
【０００２】
制御盤や操作盤、配電設備、或いは電機機器類などでは、押しボタンスイッチやセレクタスイッチ、或いは表示灯などの電気機器が用いられている。この種の電気機器は、充電部を内蔵し、この充電部に接続され、かつ外部の電線の接続部が接続される接続端子を有するケース体を備えている。特許文献１には、ケース体としての接点ブロック（接点ユニット）を備えた押しボタンスイッチが開示されている。そして、この押しボタンスイッチは、人の指などが端子部に接触しないように接続端子を覆う保護カバー（充電部カバー）の装着が可能となっている。
【先行技術文献】
【特許文献】
【０００３】
【特許文献１】特開平８−１９０８２８号公報
【発明の概要】
【発明が解決しようとする課題】
【０００４】
ところで、特許文献１に開示の押しボタンスイッチでは、電線の接続部に設けられた丸形や先開形の圧着端子を、接続端子と、端子ねじに設けられたワッシャーとの間に差し込み、そして、端子ねじを締め付けることにより接続端子に電線の圧着端子を接続するようになっている。
しかしながら、このようなスイッチは、端子ねじの取り外し、電線の差し込み、端子ねじの締め付け、保護カバーの装着などの手作業による工数が掛ってしまうため、電線の接続に時間を要し、容易に接続することが困難であった。特に、制御盤や操作盤などでは多数のスイッチを必要としており、スイッチに電線を接続する回数も多いため、電線の接続時間が制御盤や操作盤などの組み立て時間に大きく影響する。
【０００５】
そこで、本発明は、上記従来技術の問題点に着目してなされたものであり、本発明の目的は、接続端子への電線の接続を容易に行うことが可能な電気機器を提供することにある。
【課題を解決するための手段】
【０００６】
上記目的を達成するため、本発明に係る電気機器の一態様は、充電部を内蔵し、この充電部に接続され、且つ外部の電線の接続部が接続される接続端子を有するケース体と、このケース体に装着され、電線の接続部が接続端子に接続された状態で接続端子を覆う保護カバーとを備えている。そして、保護カバーは、ケース体に装着した状態で接続端子との間で電線の接続部を弾発力で圧接保持する接続保持部を備えている。
【発明の効果】
【０００７】
本発明の一態様によれば、ケース体の接続端子に電線の接続部を接触させた状態で保護カバーをケース体に装着することにより、接続保持部で電線の接続部を圧接保持することができ、接続端子への電線の接続部の接続を容易に行うことができる。
【図面の簡単な説明】
【０００８】
【図１】本発明の一実施形態に係る押しボタンスイッチにおいて、ケース体に保護カバーを取り付けた状態を示す図（（ａ）は押しボタンスイッチ全体の側面図，（ｂ）は（ａ）のケース体の断面図）である。
【図２】図１の接点ユニットの斜視図である。
【図３】図１の押しボタンスイッチにおいて、ケース体に保護カバーを開いて仮付けした状態を示す図（（ａ）は押しボタンスイッチ全体の側面図，（ｂ）は（ａ）のケース体の断面図）である。
【図４】図３のケース体の斜視図である。
【図５】図４の保護カバーの斜視図である。
【図６】図１のケース体において、挟持板と電線の圧着端子との重畳状態を示す平面図である。
【図７】図１の押しボタンスイッチにおいて、保護カバーの取り付け方法を説明するための図（（ａ）は押しボタンスイッチ全体の図，（ｂ）は（ａ）のケース体の断面図）である。
【図８】図１の押しボタンスイッチにおいて、保護カバーの取り付け方法を説明するための図（（ａ）は押しボタンスイッチ全体の図，（ｂ）は（ａ）のケース体の断面図）である。
【発明を実施するための形態】
【０００９】
以下、図面を参照して本発明の一実施形態を説明する。
なお、以下の実施形態の説明及び添付図面において、同様の構成には同一符号を付し、重複する説明を省略する。
また、以下の実施形態で説明される添付図面は、見易く又は理解し易くするために正確なスケール、寸法比で描かれていない。本発明はその要旨を超えない限り、以下に説明する実施形態の記載に限定されるものではない。
以下の実施形態では、本発明の「電気機器」の代表例として押しボタンスイッチに着目して例示的に説明する。
【００１０】
図１（ａ），（ｂ）、図２、図３（ａ），（ｂ）及び図４に示すように、本発明の一実施形態に係る押しボタンスイッチ５０は、充電部としての接点機構５を内蔵し、この接点機構５に接続され、かつ外部の電線３の接続部３ａが接続される接続端子１１を有するケース体１と、このケース体１に装着され、電線３の接続部３ａが接続端子１１に接続された状態で接続端子１１を覆う保護カバー２を備えている。そして、保護カバー２は、ケース体１に装着した状態で接続端子１１との間で電線３の接続部３ａを弾発力で圧接保持する接続保持部２０を備えている。ここで、図１（ａ），（ｂ）及び図２では、ケース体１への保護カバー２の装着により、２つの電線３の各々の接続部３ａが接続端子１１と接続保持部２０との間で重なって圧接保持された状態を示している。一方、図３（ａ），（ｂ）及び図４では、ケース体１に保護カバー２を開いて仮付けした状態を示している。
【００１１】
また、本発明の一実施形態に係る押しボタンスイッチ５０は、手動により操作される操作部６と、この操作部６及びケース体１を連結する連結ユニット７とを備えている。操作部６及びケース体１は、連結ユニット７を挟んで互いに反対側に位置している。
図１（ａ），（ｂ）及び図２に示すように、電線３の接続部３ａには例えば圧着端子４が設けられている。この実施形態では、圧着端子４が電線３の接続部３ａとなる。即ち、この実施形態では、電線３の接続部３ａとしての圧着端子４が接続端子１１と接続保持部２０との間で圧接保持されることで、電線３の接続部３ａが接続端子１１に電気的にかつ機械的に接続される。圧着端子４としては例えば丸形や先開形などの圧着端子を用いることができるが、この実施形態では、図６に示すように、先開形の圧着端子４を用いている。圧着端子４は、主に、接続端子１１に圧着接続される圧着接続部４ａと、この圧着接続部４ａと一体に形成され、かつ電線３の導電部をカシメによって固定するカシメ部４ｂとを有している。圧着接続部４ａは、カシメ部４ｂと比較して幅広になっている。
【００１２】
図１（ｂ）及び図３（ｂ）に示すように、接点機構５は、固定接触子１３と、操作部６によりケース体１の高さ方向に沿う昇降動作が操作される昇降棒１９と、この昇降棒１９の昇降動作に連動して昇降動作する可動接触子１５とを有している。固定接触子１３は、接続端子１１及び固定接点１２を有している。可動接触子１５は可動接点１４を有している。
また、固定接触子１３は、ケース体１の高さ方向と直交して延長する平板部１３ａと、この平板部１３ａの一端から引き出し方向上方に傾斜延長し、下面がケース体１から露出する傾斜板部１３ｂとを有している。平板部１３ａには固定接点１２が形成されている。傾斜板部１３ｂには、下面側からエンボス加工によって上方に延長するエンボス部１３ｃが形成され、このエンボス部１３ｃの内周面にめねじ１３ｄが形成されている。この傾斜板部１３ｂが下面に電線３の圧着端子４が固定される接続端子１１とされている。
【００１３】
接点機構５は、詳細に図示していないが、互いに電気的に分離された２つ固定接触子１３を有している。そして、この２つの固定接触子１３の各々は、平面方向において、各々の接続端子１１が互いに隣り合い、かつ各々の固定接点１２が互いに隣り合うように引き回されている。
可動接点１４は、詳細に図示していないが、２つの固定接点１２にそれぞれ対向して２つ設けられている。この２つの可動接点１４の各々は例えば１つの可動接触子１５に設けられている。そして、この可動接触子１５は、昇降棒１９が降下したときに２つの可動接点１４が２つの固定接点１２にそれぞれ接触し、昇降棒１９が上昇したときに２つの可動接点１４が２つの固定接点１２から離間するように昇降棒１９の昇降動作に連動して昇降するようになっている。すなわち、ケース体１は、充電部として、昇降棒１９の昇降動作に伴う２つ可動接点１４の昇降動作によって２つの接続端子１１の電気的な導通を制御する接点機構５を内蔵している。昇降棒１９は、図示していないが、例えば降下したときのばねの弾発力によって上昇するようになっている。固定接触子１３及び可動接触子１５の各々は、例えば金属性の導電板で形成されている。
【００１４】
図１（ａ），（ｂ）、図２、図３（ａ），（ｂ）及び図４に示すように、ケース体１は、一面に開口部１ａ（図３（ｂ）参照）を有する矩形体で形成されている。そして、ケース体１は、２つの接続端子１１の配列方向において互いに反対側に位置する２つの側壁の外側にそれぞれ設けられた２つの可撓性側板部１６を更に有している。
２つの可撓性側板部１６は、ケース体１の側壁との間に空隙を介して各々の側壁と対向して配置されている。この２つの可撓性側板部１６の各々は、ケース体１の上下方向（高さ方向）において、上部側から下部側に向かって延長している。そして、この２つの可撓性側板部１６の各々は、上部側がケース体１の側壁に固定され、ケース体１の側壁に対して内側及び外側に作業者の力により容易に撓むようになっている。
【００１５】
２つの可撓性側板部１６の各々には、係合孔１７がそれぞれ設けられている。この係合孔１７には、ケース体１に保護カバー２を装着するときに後述する係合突起２７が挿入される。
また、図４に示すように、ケース体１には、係合溝１８が設けられている。この係合溝１８は、詳細に図示していないが２つ設けられている。この２つの係合溝１８には、後述する２つの可撓性フック２８の係合突起２８ａがそれぞれ個別に挿入される。２つの係合溝１８は、２つの接続端子１１がそれぞれ個別に配置された２つの領域の間の分離領域に配置されている。
【００１６】
ケース体１は、例えば柔軟性に優れたポリアミド（ＰＡ）樹脂で形成されている。そして、２つの可撓性側板部１６は、ケース体１の側壁に対して内側及び外側（２つの可撓性側板部１６の配列方向の内側及び外側）に作業者の力によって容易に撓ませることが可能な可撓性を有している。
図５に示すように、保護カバー２は、背壁部２５と、この背壁部２５の長手方向の両端から背壁部２５の内側に突出して互いに対向する２つの側壁部２６と、背壁部２５の底辺から背壁部２５の内側に突出し、かつ背壁部２５の長手方向に併設された２つの底壁部２４とを有している。そして、背壁部２５には、背壁部２５の外側から内側に亘って電線３が通る２つの開口部２５ａが背壁部２５の長手方向に並んで設けられている。この保護カバー２は、ケース体１に装着したとき、人の指などが接続端子に触れないように接続端子１１を覆う。
【００１７】
図１（ｂ）、図３（ｂ）及び図５に示すように、接続保持部２０は、保護カバー２をケース体１に装着した状態で、接続端子１１に対して進退自在に支持された押圧部材２１と、この押圧部材２１を接続端子１１側に付勢する弾性体としての圧縮コイルばね２２とを備えている。そして、押圧部材２１は、接続端子１１に対向する押圧板部２１ａと、この押圧板部２１ａの対向端部から接続端子１１とは反対方向に延長する一対の側板部２１ｂとで逆Ｕ字状に形成され、接続保持部２０に対して抜け止めされて案内されている。
圧縮コイルばね２２は、伸縮方向において、一端側が押圧部材２１の下面側を支持し、他端側が保護カバーの底壁部２４の上面に支持されている。そして、押圧部材２１は、圧縮コイルばね２２の伸縮方向に圧縮コイルばね２２の伸縮によって移動するようになっている。
【００１８】
図５に示すように、一対の側板部２１ｂのうち、保護カバー２の背壁部２５側とは反対側（ケース体１側）に位置する一方の側板部２１ｂは、保護カバー２の長手方向において対向する対向端部から突出する一対の側板突起２１ｂ１を有している。そして、保護カバー２は、一方の側板部２１ｂの対向端部の両側に底壁部２４から上方に突出する一対のガイド部２４ａを有している。そして、一対のガイド部２４ａの各々には、一対の側板突起２１ｂ１がそれぞれ個別に挿入され、かつ側板突起２１ｂ１の移動を圧縮スプリングばね２２の伸縮方向に案内する長孔２４ａ１が設けられている。
【００１９】
図４及び図５に示すように、保護カバー２は、２つの接続端子に対応して２つの接続保持部２０を備えている。２つの接続保持部２０は、保護カバー２の長手方向において、互い隣り合うように配置されている。
保護カバー２において、図１（ａ）及び図５に示すように、２つの可撓性側壁部２６の各々の外側面には、この外側面から外方に突出する係合突起２７が設けられている。また、背壁部２５の内側面には、この内側面から内方に突出する２つの可撓性フック２８が保護カバー２の長手方向に併設して設けられている。この２つの可撓性フック２８の各々の先端側には、互いに向かい合う側面とは反対側の側面から外方に向かって突出する係合突起２８ａがそれぞれ設けられている。
【００２０】
保護カバー２は、ケース体１と同様に、例えば柔軟性に優れたポリアミド（ＰＡ）樹脂で形成されている。そして、２つの可撓性側壁部２６及び２つの可撓性フック２８は、互いに近づく方向及び離れる方向（保護カバー２の長手方向において内側を向く方向及び外側を向く方向）に作業者の力によって容易に撓ませることが可能な可撓性を有している。
係合突起２７は、ケース体１に保護カバー２を装着するときに、ケース体１の係合孔１７に挿入され、係合状態が保たれる。係合突起２７の係合孔１７への挿入は、可撓性側壁部２６が内側へ撓み、可撓性側板部１６が外側へ撓むことによって行われる。
【００２１】
また、２つの可撓性フック２８の各々は、ケース体１に保護カバー２を装着するときに、ケース体１の２つの係合溝１８にそれぞれ個別に挿入され、係合状態が保たれる。係合突起２８ａの係合溝１８への挿入は、可撓性フック２８が内側へ撓むことによって行われる。すなわち、保護カバー２は、可撓性側板部１６の係合孔１７と可撓性側壁部２６の係合突起２７とのスナップフィット結合及び係合溝１８と可撓性フック２８の係合突起２８ａとのスナップフィット結合によってケース体１に装着固定される。
押しボタンスイッチ５０は、ケース体１の可撓性側板部１６及び保護カバー２の可撓性側壁部２６の可撓性を利用して可撓性側板部１６の係合孔１７に可撓性側壁部２６の係合突起２７を引っ掛けて係合状態とすることによりケース体１に保護カバー２が装着固定される。また、押しボタンスイッチ５０は、接続端子１１に押圧部材２１の押圧板部２１ａが近づくように保護カバー２を回動させ、接続端子１１と押圧板部２１ａとの間に電線３の圧着端子４を圧縮スプリングばね２２の弾発力で圧接保持した後、ケース体１に向かって保護カバー２を直進移動させることにより、係合孔１７に係合突起２７が引っ掛けられてケース体１に保護カバー２が装着固定されるとともに、接続端子１１と押圧板部２１ａとの間に電線３の圧着端子４が圧縮スプリングばね２２の弾発力で圧接保持される。
【００２２】
図１（ａ）及び図３（ａ）に示すように、操作部６は、例えば円筒状の外装ケース６ａと、この外装ケース６ａ内に軸方向に可動可能に配置され、一部が外装ケース６ａの一方の端部から突出する押しボタン６ｂとを有している。外装ケースの軸方向の中段部には雄ねじ６ｃが形成されており、この中段部に固定ナット６ｄが螺合している。この操作部６は、押しボタン６ｂを下方へ押圧すると、昇降棒１９を下方へ降下移動させるようになっている。そして、押しボタン６ｂの押圧を解除すると、昇降棒１９は圧縮バネの反発力により上昇して元の位置に戻る。すなわち、この実施形態の押しボタンスイッチ５０は、押しボタン６ｂの操作により、２つの接続端子１１の電気的な導通を制御するようになっている。
【００２３】
図４乃至図６に示すように、押圧板部２１ａは、電線３の圧着端子４側の面に複数の抜け止め溝２１ａ１が設けられている。この複数の抜け止め溝２１ａ１は、ケース体１の開口部１ａに電線３の圧着端子４を挿入する挿入方向３ｘ（図６参照）に対して交差する方向に延長している。
図１（ｂ）、図４及び図５に示すように、接続保持部２０は、電線３の接続部３ａに設けられた圧着端子４の肩部に係合して圧着端子４の抜け止めを行う抜け止め係合部２１ｃを備えている。この抜け止め係合部２１ｃは、図６に示すように、圧着端子４のカシメ部４ｂを挟むようにして２つ設けられている。この２つの抜け止め係合部２１ｃの間隔は、圧着接続部４ａの幅よりも狭く、そして、カシメ部４ｂの幅よりも広くなっている。抜け止め係合部２１ｃは、圧着接続部４ａの端部から保護カバー２の背壁部２５に向かって引き出された引き出し部の先端が上方に向かって突出する突起体で構成されている。この抜け止め係合部２１ｃを含む押圧部材２１は、導電板に折曲加工を施すことによって容易に形成することができる。
【００２４】
次に、本発明の一実施形態に係る押しボタンスイッチ５０の効果について、図面を適宜参照しながら説明する。
押しボタンスイッチ５０の接続端子１１に電線３の圧着端子４（接続部３ａ）を接続するには、まず、図３（ａ），（ｂ）及び図４に示すように、ケース体１の開口部１ａ側に保護カバー２を仮付けする。保護カバー２の仮付けは、保護カバー２の可撓性側壁部２６をケース体１の側壁部と可撓性側板部１６との間の空隙部に挿入して行う。
次に、図７（ａ），（ｂ）に示すように、電線３の圧着端子４をケース体１の開口部１ａ側から内部に挿入方向３ｘに沿って挿入し、ケース体１の接続端子１１の下面にこの接続端子１１と重畳するように圧着端子４を配置する。
【００２５】
次に、圧着端子４と接続端子１１との重畳状態を保持した状態で、接続端子１１に保護カバー２の接続保持部２０が近づく方向、換言すればケース体１の開口部１ａを塞ぐ方向に保護カバー２を回動させて、図８（ａ），（ｂ）に示すように、圧縮コイルばね２２の弾発力により接続端子１１と押圧部材２１との間に圧着端子４を圧接保持する。このとき、圧縮コイルばね２２に一定量の圧縮荷重が付加されるように圧着端子４を圧着する。そして、この圧着端子４への圧着力により、圧着端子４は圧縮コイルばね２２の弾発力が付加された状態で接続端子１１と押圧部材２１との間に圧接保持される。
【００２６】
次に、ケース体１に向かって、換言すれば電線３の挿入方向に保護カバー２を前進移動させて、図１（ａ），（ｂ）に示すように、ケース体１の係合孔１７に保護カバー２の係合突起２７を挿入してケース体１に保護カバー２を装着する。このとき、ケース体１の係合溝１８に保護カバー２の可撓性フック２８の係合突起２８ａも挿入され、ケース体１と保護カバー２との装着固定に寄与する。
ここで、従来の押しボタンスイッチは、電線の圧着端子を接続端子と端子ねじのワッシャーとの間に差し込み、その後、端子ねじを締め付けることにより接続端子に電線が接続されるようになっている。このため、従来の押しボタンスイッチでは、端子ねじの取り外しや端子ねじの締め付け、そして、端子ねじの締め付けトルク管理など端子ねじに関する工数が必要であった。
【００２７】
これに対し、本発明の一実施形態に係る押しボタンスイッチ５０において、保護カバー２は、ケース体１に装着した状態で接続端子１１との間で電線３の圧着端子４（接続部３ａ）を弾発力で圧接保持する接続保持部２０を備えている。このため、本発明の一実施形態に係る押しボタンスイッチ５０は、ケース体１の接続端子１１に電線の圧着端子４を接触させた状態で、保護カバー２をケース体１に装着することにより、接続保持部２０で電線３の圧着端子４を圧接保持することができるので、従来の押しボタンスイッチでは必要であった、端子ねじの取り外しや端子ねじの締め付け、そして、端子ねじの締め付けトルク管理など端子ねじによる電線の接続に必要であった工数が不要となる。したがって、本発明の一実施形態に係る押しボタンスイッチ５０は、ケース体１の接続端子１１と電線３の圧着端子４との接続を容易に行うことができる。
【００２８】
また、本発明の一実施形態に係る押しボタンスイッチ５０において、押圧部材２１の押圧板部２１ａは、電線３の圧着端子４側の面に複数の抜け止め溝２１ａ１が設けられている。このため、接続端子１１と押圧部材２１の押圧板部２１ａとの間に電線３の圧着端子４を圧接保持した後、圧着端子４をケース体から離れる方向に引っ張ったときの引張抵抗が高くなるので、接続端子から圧着端子が抜ける電線抜けを抑制することができる。したがって、本発明の一実施形態に係る押しボタンスイッチ５０は、信頼性の向上を図ることができる。
【００２９】
また、本発明の一実施形態に係る押しボタンスイッチ５０において、接続保持部２０は、電線３の圧着端子４の肩部に係合して抜け止めを行う抜け止め係合部２１ｃを備えている。このため、接続端子１１と押圧部材２１の押圧板部２１ａとの間に電線３の圧着端子４を圧接保持した後、電線３の圧着端子４の肩部に抜け止め係合部２１ｃが係合して抜け止めが行われるので、ケース体１の接続端子１１から電線３の圧着端子４が抜ける電線抜けを更に抑制することができる。したがって、本発明の一実施形態に係る押しボタンスイッチ５０は、信頼性の向上を更に図ることができる。
【００３０】
また、本発明の一実施形態に係る押しボタンスイッチ５０において、接続保持部２０は保護カバー２に設けられている。したがって、この保護カバー２は、端子ねじのねじ穴が設けられた接続端子を有する既存の押しボタンスイッチにおいても使用することができる。
以上のように、本発明の一実施形態に係る押しボタンスイッチ５０によれば、電線３の接続を容易に行うこができる。
なお、上述の一実施形態では、係合孔１７をケース体１の可撓性側板部１６に設け、係合突起２７を保護カバー２の可撓性側壁部２６に設けた場合について説明したが、可撓性側板部１６に係合突起２７、可撓性側壁部２６に係合孔１７をそれぞれ設けるようにしてもよい。
【００３１】
また、上述の一実施形態では、係合溝１８をケース体１に設け、係合突起２８ａを有する可撓性フック２８を保護カバー２に設けた場合について説明したが、係合溝１８を保護カバー２に、係合突起２８ａを有する可撓性フック２８をケース体１にそれぞれ設けるようにしてもよい。
また、上述の一実施形態では、電線３の接続部３ａとして先開形の圧着端子４を設けた場合について説明したが、本発明は、電線３の接続部３ａとして丸形や他の形状の圧着端子を設けた場合においても、接続端子１１と接続保持部２０との間に圧着端子を圧接保持することができる。そして、本発明は、接続端子１１と接続保持部２０との間に電線の芯線を直に圧接保持することもできる。
【００３２】
また、上述の一実施形態では、本発明の「電気機器」として押しボタンスイッチを例示的に説明したが、本発明は、電線を接続するための端子部を有するケース体を備えたセレクタスイッチや表示灯などの電気機器に適用するこができる。セレクタスイッチは押しボタンスイッチと同様にケース体として接点機構を内蔵したケース体を備えている。表示灯は、ケース体としてトランス機能を内蔵したケース体を備えている。
以上、本発明を上記一実施形態に基づき具体的に説明したが、本発明は上記一実施形態に限定されるものではなく、その要旨を逸脱しない範囲において種々変更可能であることは勿論である。
【符号の説明】
【００３３】
１…ケース体
１ａ…開口部
１１…接続端子
１２…固定接点
１３…固定接触子
１３ａ…平板部、１３ｂ…傾斜板部、１３ｃ…エンボス部、１３ｄ…めねじ
１４…可動接点
１５…可動接触子
１６…可撓性側板部
１７…係合孔
１８…係合溝
１９…昇降棒
２…保護カバー
２０…接続保持部
２１…押圧部材
２１ａ…押圧板部
２１ｂ…側板部
２１ｂ１…側板突起
２１ａ１…抜け止め溝
２１ｃ…抜け止め係合部
２２…圧縮コイルばね（弾性体）
２４…底壁部
２４ａ…ガイド部
２４ａ１…長孔
２５…背壁部、２５ａ…開口部
２６…可撓性側壁部
２７…係合突起
２８…可撓性フック、２８ａ…係合突起
３…電線，３ａ…接続部
４…圧着端子，４ａ…接続部，４ｂ…カシメ部
５…接点機構
６…操作部
６ａ…外装ケース部
６ｂ…押しボタン
６ｃ…雄ねじ
６ｄ…固定ナット
７…連結ユニット
５０…押しボタンスイッチ
【図１】
0006679934.tif 000002
【図２】
0006679934.tif 000003
【図３】
0006679934.tif 000004
【図４】
0006679934.tif 000005
【図５】
0006679934.tif 000006
【図６】
0006679934.tif 000007
【図７】
0006679934.tif 000008
【図８】
0006679934.tif 000009